(57)【要約】【課題】  容易に装置内部にたまった塵埃を除去することができる装置の塵埃除去構造を得る。【解決手段】  本発明による装置の塵埃除去構造は、装置筐体１に設けられる開口部２と、通常時には開口部２を介して筐体１内部の気体を筐体１外部へ排気し、塵埃除去時には開口部２を介して外気を筐体１内部へ吸気するファン４と、筐体１に設けられ、筐体１内部の気体を吸引する吸引手段５が取り付けられる開口部３とを含むことを特徴とする。【選択図】      図１
2011187755.tif 000002
【特許請求の範囲】
【請求項１】
装置筐体に設けられる開口部と、
通常時には前記開口部を介して前記筐体内部の気体を前記筐体外部へ排気し、塵埃除去時には前記開口部を介して外気を前記筐体内部へ吸気するファンと、
前記筐体に設けられ、前記筐体内部の気体を吸引する吸引手段が取り付けられる開口部とを含むことを特徴とする装置の塵埃除去構造。
【請求項２】
前記ファンは、前記ファンの回転面に沿って設けられ前記回転面を回動自在とする回動軸を備えることを特徴とする請求項１記載の装置の塵埃除去構造。
【請求項３】
前記ファンは、正回転動作及び逆回転動作が可能であることを特徴とする請求項１記載の装置の塵埃除去構造。
【請求項４】
第１及び第２の開口部が設けられた装置筐体と、前記第１の開口部を介して前記筐体内部の気体を前記筐体外部へ排気するファンとを含む装置の塵埃除去方法であって、
塵埃除去時に、前記ファンを用いて前記第１の開口部を介して外気を前記筐体内部へ吸気せしめると共に、第２の開口部に取り付けられた吸引手段により前記筐体内部の気体を吸引することを特徴とする装置の塵埃除去方法。
【請求項５】
前記ファンは、前記ファンの回転面に沿って設けられ前記回転面を回動自在とする回動軸を備えることを特徴とする請求項４記載の装置の塵埃除去方法。
【請求項６】
前記ファンは、正回転動作及び逆回転動作が可能であることを特徴とする請求項４記載の装置の塵埃除去方法。
【発明の詳細な説明】
【技術分野】
【０００１】
本発明は装置の塵埃除去構造及び塵埃除去方法に関し、特に装置筐体内部の気体を筐体外部へ排気するファンを備えた装置の塵埃除去構造に関する。
【背景技術】
【０００２】
パーソナルコンピュータなどの電子機器や家電製品などは、埃が装置内部にたまり故障の原因になる。装置内部にたまる埃を取り除くには、ユーザが装置を分解して掃除機を用いて埃を取り除かなくてはならない。特に冷却や換気をファンにて行っている装置内はファンによる風の動きにより埃が外部より進入し、装置内に留まり故障の原因になりやすい。
【０００３】
特許文献１には、搬送用コンベアによって装置内部に運ばれてくる組立体に付着している塵埃を除去する塵埃除去装置が記載されている。特許文献１に記載の塵埃除去装置は、外気吸入口と、外気吸入口から外気を取り込む外気吸入ファンと、吸引口と、吸引口に取り付けられて塵埃を吸引するための吸引手段とを備えている。外気吸入ファンによる空気の流入と吸引手段による空気の排出とにより塵埃除去装置内部に一定の空気の流れが作られ、この空気の流れに塵埃を乗せることにより塵埃の除去が行われる。
【０００４】
特許文献２には、筐体内部の温度を冷却ファンにより外気を吸い込んで冷却する送風冷却装置が記載されている。特許文献２に記載の送風冷却装置では、冷却ファンにより外気を吸い込む際に塵埃まで吸い込まないよう吸気口にエアフィルタが設けられている。また、特許文献２に記載の送風冷却装置は、冷却ファンの回転面に沿って設けられ回転面を回動自在とする回動軸と、この回動軸を回動させるための回動用モータとを備えている。そして、時間の経過と共にエアフィルタの外側に堆積する塵埃を吹き飛ばすために、回動用モータにより冷却ファンが１８０°回動され風向きが外向きとされる。
【０００５】
特許文献３には、正回転動作により外気を筐体内部に吸入する冷却ファンと、このファンによる外部からの塵埃の侵入を防止するフィルタとを備える電子機器が記載されている。特許文献３に記載の電子機器では、冷却ファンを逆回転動作させることにより、筐体内部の空気が外部へ排気され、フィルタに付着した塵埃が吹き飛ばされて除去される。
【先行技術文献】
【特許文献】
【０００６】
【特許文献１】特開平１１−３１９７４０号公報
【特許文献２】特開２００２−２４２８７８号公報
【特許文献３】特開２００８−０６０１０８号公報
【発明の概要】
【発明が解決しようとする課題】
【０００７】
特許文献１では、搬送用コンベアによって塵埃除去装置内部に運ばれてくる組立体に付着している塵埃を除去するようにしており、対象の組立体とは別に塵埃除去のために専用の装置を用意する必要がある。
【０００８】
特許文献２及び３では、外部からの塵埃の侵入を防止するフィルタに付着した塵埃を除去することはできるが、装置内部にたまった塵埃を除去することはできない。
【０００９】
本発明の目的は、上述した課題を解決し、容易に装置内部にたまった塵埃を除去することができる装置の塵埃除去構造及び塵埃除去方法を提供することにある。
【課題を解決するための手段】
【００１０】
本発明による装置の塵埃除去構造は、装置筐体に設けられる開口部と、通常時には前記開口部を介して前記筐体内部の気体を前記筐体外部へ排気し、塵埃除去時には前記開口部を介して外気を前記筐体内部へ吸気するファンと、前記筐体に設けられ、前記筐体内部の気体を吸引する吸引手段が取り付けられる開口部とを含むことを特徴とする。
【００１１】
本発明による装置の塵埃除去方法は、第１及び第２の開口部が設けられた装置筐体と、前記第１の開口部を介して前記筐体内部の気体を前記筐体外部へ排気するファンとを含む装置の塵埃除去方法であって、塵埃除去時に、前記ファンを用いて前記第１の開口部を介して外気を前記筐体内部へ吸気せしめると共に、第２の開口部に取り付けられた吸引手段により前記筐体内部の気体を吸引することを特徴とする。
【発明の効果】
【００１２】
本発明によれば、容易に装置内部にたまった塵埃を除去することができるという効果が得られる。
【図面の簡単な説明】
【００１３】
【図１】本発明の実施の形態による電子機器装置の構成を示す図であり、（ａ）は通常動作（冷却動作）時の装置を示し、（ｂ）は塵埃除去動作時の装置を示す。
【発明を実施するための形態】
【００１４】
本発明の実施の形態について説明する前に、本発明の理解を助けるために、本発明の原理について図１を参照して説明する。
【００１５】
本発明による装置の塵埃除去構造は、装置筐体１に設けられる開口部２と、通常時には開口部２を介して筐体１内部の気体を筐体１外部へ排気し、塵埃除去時には開口部２を介して外気を筐体１内部へ吸気するファン４と、筐体１に設けられ、筐体１内部の気体を吸引する吸引手段５が取り付けられる開口部３とを含む。
【００１６】
このように、筐体１内部の気体を吸引する吸引手段５が取り付けられる開口部３が筐体１に設けられ、筐体１内部の気体を筐体１外部へ排気するファン４を用いて塵埃除去時に外気を筐体１内部に取り込むようにしている。したがって、塵埃除去のために専用の吸気ファンを設けることなくファン４を用いて容易に装置内部にたまった塵埃を除去することができる。
【００１７】
以下、本発明の実施の形態について図面を参照して説明する。
【００１８】
図１は本発明の実施の形態による電子機器装置の構成を示す図であり、（ａ）は通常動作（冷却動作）時の装置を示し、（ｂ）は塵埃除去動作時の装置を示す。
【００１９】
図１（ａ）に示すように、本発明の実施の形態による電子機器装置の筐体１には通気口２及び吸引口３が設けられている。通気口２に対応して筐体１内部に冷却ファン４が設けられている。冷却ファン４は通気口２を介して筐体１内部の空気を筐体１外部へ排気し、これにより、電子機器の動作による内部温度の上昇を抑制する。
【００２０】
このように冷却ファン４が稼動すると、外部の埃を筐体１内に吸い込んでしまう。筐体１内部に入った埃は冷却ファン４方向に進もうとするが、筐体１内の図示せぬ部品に絡んで筐体１内に溜まる。
【００２１】
そこで、塵埃除去する場合は、図１（ｂ）に示すように、冷却ファン４を用いて通気口２を介して外気を筐体１内部へ吸気する。また、吸引口３には筐体１内部の空気を吸引する吸引手段５が筐体１外部から取り付けられ、筐体１内の埃を吸い出す。なお、吸引手段５としては掃除機を用いることができる。
【００２２】
これにより、図１（ｂ）における筐体１内部の空気の流れは図１（ａ）における空気の流れと逆方向になり、筐体１内の部品に絡まった埃はスムーズに逆方向に筐体１内に舞うことができ、吸引手段５は埃をスムーズに吸い込むことができる。
【００２３】
なお、筐体１内部の空気を筐体１外部へ排気する冷却ファン４を用いて外気を筐体１内部へ吸気するようにするためには、冷却ファン４の回転面を１８０°回動させて風向きを逆向きにすればよい。この場合、冷却ファン４は、ファン４の回転面に沿って設けられ当該回転面を回動自在とする回動軸を備える。
【００２４】
また、筐体１内部の空気を筐体１外部へ排気する冷却ファン４を用いて外気を筐体１内部へ吸気するようにするために、冷却ファン４を正回転動作から逆回転動作させて風向きを逆向きにするようにしてもよい。
【００２５】
以上説明したように、本発明の実施の形態では、筐体１内部の気体を吸引する吸引手段５が取り付けられる吸引口３が筐体１に設けられ、筐体１内部の気体を筐体１外部へ排気するファン４を用いて塵埃除去時に外気を筐体１内部に取り込むようにしている。したがって、塵埃除去のために専用の吸気ファンを設けることなくファン４を用いて容易に装置内部にたまった塵埃を除去することができる。また、塵埃除去のためにユーザが装置を分解したり、棚など上に置いている装置を下ろしたりせずに塵埃除去を行うことができる。
【００２６】
なお、通気口２及び吸引口３は筐体１の同一面に設けられているが、これに限られるものではなく、例えば筐体１の互いに対向する面にそれぞれ設けられるようにしてもよい。
【００２７】
また、以上の説明では、筐体１として冷却ファン４を備えるパーソナルコンピュータなどの電子機器装置の筐体を用いて本発明の実施の形態を説明したが、これに限られるものではなく、通気口２を介して筐体１内部の空気を筐体１外部へ排気する送風ファンを備える加湿器や空気清浄機などの家電製品の筐体にも適用可能である。この場合、塵埃除去時に当該送風ファンを用いて外気を筐体１内部へ吸気するようにする。
【００２８】
また、ファン自体が無い装置の場合には、装置筐体に通気口及び吸引口を設け、さらに通気口を介して外気を筐体内部へ吸気する吸気ファンを取り付けることにより、筐体内部の塵埃除去を可能とすることができる。
【符号の説明】
【００２９】
１    装置筐体
２    通気口
３    吸引口
４    ファン
５    吸引手段
【図１】
2011187755.tif 000003